(57)【要約】【課題】所要の機能を維持させることができて使い勝手の損なわれないものである上に、構造を軽量化させ、さらには加工を容易化させる。【解決手段】支柱部材５の凹み部５ａを支柱部材５の第二特定方向ｆ２の直径に対して該直径面上でこれと交叉した方向へ偏倚した配置状態に形成すると共に係止部材６には、第二特定方向ｆ２に対して前記直径面に沿う方向へ傾斜されていて該係止部材６が第二特定方向ｆ２へ押圧されたときに前記凹み部５ａの底面部ａに圧接されるものとしたくさび傾斜面部９を形成する。【選択図】        図１
2005021532.tif 000002
【特許請求の範囲】
【請求項１】
案内手段により第一特定方向への変位可能に案内される支柱部材に複数の凹み部を前記特定方向へ列設し、一方では前記案内手段と同体状個所に前記特定方向と交叉した第二特定方向へ変位可能となされた係止部材を設け、該係止部材が前記第二特定方向の係止側へ変位されたときに前記凹み部の任意な何れかに係合して前記支柱部材の第一特定方向への変位を規制するようになされたヘッドレスト支持装置においで、前記凹み部を前記支柱部材の特定直径面上での前記第二特定方向の直径に対してこれと交叉した方向へ偏倚した配置状態に形成すると共に、前記係止部材には、前記第二特定方向に対して前記直径面に沿う方向へ傾斜されていて該係止部材が前記第二特定方向へ押圧されたときに前記凹み部の底面部に圧接されるものとしたくさび傾斜面部を形成したことを特徴とするヘッドレスト支持装置。
【請求項２】
前記底面部が前記くさび傾斜面部に倣うように傾斜されていることを特徴とする請求項１記載のヘッドレスト支持装置。
【請求項３】
前記係止部材が前記支柱部材を挿通される透孔を有し、該透孔の内周縁の一部を前記くさび傾斜面部となし、該くさび傾斜面部が前記底面部を押圧しているとき、前記透孔の内周縁の一部が前記くさび傾斜面部の押圧による前記支柱部材の変位を規制するように圧接する構成としたことを特徴とする請求項１又は２記載のヘッドレスト支持装置。
【請求項４】
前記凹み部が前記支柱部材の特定直径面を前記第二特定方向の直径で二分した各側に一つづつ形成されており、且つ、前記係止部材には前記凹み部のそれぞれに対応して前記くさび傾斜面部が２つ形成され、これらのくさび傾斜面部が前記凹み部のそれぞれに同時に係合して該凹み部のそれぞれの底面部を同時に押圧する構成としたことを特徴とする請求項１又は２記載のヘッドレスト支持装置。
【請求項５】
前記係止部材が前記支柱部材を挿通される透孔を有し、該透孔の内周縁に２つの前記くざび傾斜面部を形成したことを特徴とする請求項４記載のヘッドレスト支持装置。
【請求項６】
パイプ材の長手方向の適当距離間隔ごとの周方向上個所で特定の長手方向仮想線を挟む対称配置の２つの特定位置に一対の凹み部を設け、該一対の凹み部が直径方向の断面視でハ字状に配置されていることを特徴とするヘッドレスト支持装置に使用される支柱部材。
【発明の詳細な説明】
【０００１】
【発明の属する技術分野】
本発明は、自動車などのヘッドレスト支持装置及びこれに使用される支柱部材に関する。
【０００２】
【従来の技術】
自動車の座席には、従来より、図６及び図７に示すように安全性を確保するためのヘッドレスト１がバックシート２の上部に装着されており、該ヘッドレストはヘッドレスト支持装置３により支持されている。
上記ヘッドレスト支持装置３は例えば次のようなものとなされるのであって、即ち、バックシート２の案内手段４、４により第一特定方向ｆ１への変位可能に案内される筒状の支柱部材５に複数の凹み部５ａを特定方向ｆ１へ列設し、一方では案内手段４、４と同体状個所に第一特定方向ｆ１と交叉した第二特定方向ｆ２へ変位可能となされた係止部材６を設け、該係止部材６が第二特定方向ｆ２の係止側ａへ変位されたときに凹み部５ａの任意な何れかに係合して、支柱部材５の第一特定方向ｆ１への変位を規制する構造となされる（例えば特許文献１参照）。なお図中７は係止部材６を係止側へ特定力で付勢するためのスプリングである。
【０００３】
【特許文献１】
特開２００２−３４６６４３号公報
【０００４】
【発明が解決しようとする課題】
上記したヘッドレスト支持装置３において、凹み部５ａに係止部材６の透孔の内周縁６ａを確実に係止させるには、図８及び図９に示すように筒状の支柱部材５に特定形状の凹み部５ａを比較的深く形成することが必要であるが、該凹み部５ａをそのように形成すると支柱部材５の凹み部５ａ個所の周壁の厚さｔ１が小さくなってその部分の強度が減少するため、支柱部材５の材料には、該厚さｔ１が小さくなっても強度不足とならないような十分な厚さを有する管部材を使用することが必要であり、このことが装置全体の軽量化を阻むものとなっている。
本発明は、所要の機能を維持させることができ、しかも使い勝手の損なわれないものである上に、構造を軽量化させることができ、さらには加工を容易化させることのできるヘッドレスト支持装置を提供することを目的とする。
【０００５】
【課題を解決するための手段】
上記目的を達成するため、本発明は、請求項１に記載したように、案内手段により第一特定方向への変位可能に案内される支柱部材に複数の凹み部を前記特定方向へ列設し、一方では前記案内手段と同体状個所に前記特定方向と交叉した第二特定方向へ変位可能となされた係止部材を設け、該係止部材が前記第二特定方向の係止側へ変位されたときに前記凹み部の任意な何れかに係合して前記支柱部材の第一特定方向への変位を規制するようになされたヘッドレスト支持装置において、前記凹み部を前記支柱部材の特定直径面上での前記第二特定方向の直径に対してこれと交叉した方向へ偏倚した配置状態に形成すると共に、前記係止部材には、前記第二特定方向に対して前記直径面に沿う方向へ傾斜されていて該係止部材が前記第二特定方向へ押圧されたときに前記凹み部の底面部に圧接されるものとしたくさび傾斜面部を形成したものである。
【０００６】
この発明では、前記係止部材が前記第二特定方向へ特定力で押圧されて変位したとき、前記くさび傾斜面部が前記凹み部の底面部に当接してこれを押圧した状態となり、この際、前記くさび傾斜面部から前記底面部に作用する前記凹み部の深さ方向へ向かう押圧力は、前記くさび傾斜面部と前記底面部との間におけるくさび作用により前記特定力が倍加されたものとなって比較的大きなものとなる。したがって、前記凹み部の深さが従来のそれに較べて小さくなされていても、前記係止部材は前記凹み部への係止状態を強力に保持されて、前記支柱部材が前記第二特定方向へ変位されるのを確実に阻止するものとなる。ここで前記凹み部の深さが小さくても前記支柱部材の変位が確実に阻止されることは、前記支柱部材の肉厚を小さくなすことを可能となすほか前記凹み部の加工を容易となすことにつながるのである。
【０００７】
上記発明は次のように具体化することができる。
即ち、請求項２に記載したように、前記底面部が前記くさび傾斜面部に倣うように傾斜されている構成となす。これによれば、前記くさび傾斜面部が前記凹み部に強く嵌まり込んで比較的長い距離に亘って前記凹み部と係合するものとなる。
【０００８】
また請求項３に記載したように、前記係止部材が前記支柱部材を挿通される透孔を有し、該透孔の内周縁の一部を前記くさび傾斜面部となし、該くさび傾斜面部が前記底面部を押圧しているとき、前記透孔の内周縁の一部が前記くさび傾斜面部の押圧による前記支柱部材の変位を規制するように圧接する構成とする。これによれば、前記くさび傾斜面部のくさび作用により前記特定力を倍加されたものである比較的大きな力が前記係止部材や前記支柱部材以外のものに及ぶ現象が抑制されるようになり、また前記透孔は前記支柱部材に対して前記係止部材の前記第二特定方向の移動を的確に案内するものとなる。
【０００９】
また請求項４に記載したように、前記凹み部が前記支柱部材の特定直径面を前記第二特定方向の直径で二分した各側に一つづつ形成されており、且つ、前記係止部材には前記凹み部のそれぞれに対応して前記くさび傾斜面部が２つ形成され、これらのくさび傾斜面部が前記凹み部のそれぞれに同時に係合して該凹み部のそれぞれの底面部を同時に押圧する構成とする。
これによれば、請求項１記載の発明と同様の作用が得られるほかに次のような作用が得られるのであって、即ち、前記凹み部が２つ存在するため、前記係止部材とこれら凹み部との係合長さが大きくなるのであり、このことが前記係止部材と前記凹み部との係止作用を安定化させるものとなる。また２つの前記凹み部から前記係止部材に付与される押圧力が相殺し合うようになるため、前記した各凹み部に対応する各くさび傾斜面部のくさび作用により倍加された押圧力が前記支柱部材や前記係止部材以外のものに作用し難くなる。
【００１０】
また請求項５に記載したように、前記係止部材が前記支柱部材を挿通される透孔を有し、該透孔の内周縁に２つの前記くざび傾斜面部を形成する。これによれば、２つの前記くさび傾斜面部のくさび作用により前記特定力を倍加された方向の異なる２つの比較的大きな力が発生するが、これら２つの比較的大きな力は前記係止部材に支持されてその大部分が相殺されて、前記係止部材や前記支柱部材以外のものに及ぶのを抑制される。また前記透孔は前記支柱部材に対して前記係止部材の第二方向の移動を的確に案内するものとなる。
【００１１】
また上記支柱部材は、請求項６に記載したように、パイプ材の長手方向の適当距離間隔ごとの周方向上個所で特定の長手方向仮想線を挟む対称配置の２つの特定位置に一対の凹み部を設け、該一対の凹み部が直径方向の断面視でハ字状に配置されている構成となすのがよいのであり、該支柱部材は請求項４記載の発明を実現する上で寄与するものである。
【００１２】
【発明の実施の形態】
以下の説明において、従来例と同一部位には同一符号を使用する。
先ず本発明の第一実施例についで説明すると、図１は該第一実施例に係るヘッドレスト支持装置の要部を示す平面視断面図、図２は図１のｘ１−ｘ１部を示す断面図、図３は凹み部の変形例を示す断面図である。
【００１３】
これらの図に示すように、係止部材６は第一特定方向ｆ１と直交して配置された方形板となされていて、中央部に略長円形状の透孔８を形成されている。該透孔８は長さをこれに挿通される支柱部材５に対し係止部材６が第二特定方向ｆ２へ必要距離だけ往復変位され得る大きさとなされ、また支柱部材５の直径面上での第二特定方向ｆ２と直交した方向の寸法（巾）を支柱部材５の外周面の直径と略同一となされ、さらに支柱部材５の凹み部５ａに嵌め込まれる側の内周縁６ａを支柱部材５の外周面と略同一の円弧状となされると共に凹み部５ａ内に嵌め込まれる内周縁６ａの一部をくさび傾斜面部９となされている。
【００１４】
該くさび傾斜面部９は第一特定方向ｆ１に直交した平面に沿うように傾斜されており、第二特定方向ｆ２に対する傾斜角度θは第二特定方向ｆ２に対して例えば３０度〜７０度程度になされると共にその長さは凹み部５ａの底面部ａの長さよりも幾分長くなされている。
【００１５】
一方、支柱部材５は比較的薄肉のパイプ材で形成される。ここに、比較的薄肉のパイプ材とは、単に外周面部の肉厚が薄いことを言うものでなく、凹み部５ａの最深個所の深さｄに対する肉厚ｔの割合が小さいことを言うものであり、本発明ではその割合Ｒ（＝ｔ／ｄ）が凡そ０．８５程度以下のパイプ材を言うものである。
【００１６】
各凹み部５ａは支柱部材５の直径面上で第二特定方向ｆ２の直径Ｄに対してこれと交叉した方向へ偏倚した配置状態に形成されており、その底面部ａは第一特定方向ｆ１と平行な平面となされていてくさび傾斜面部９に倣うように傾斜されており、また一方の側面ｂを底面部ａに成る可く垂直に近い平面を有するものとなすと共に他方の側面ｃを底面部ａから離れるに伴って漸次に浅くなるように基礎周面５ｂに連続される傾斜面となされている。
【００１７】
上記支柱部材５は比較的薄肉のパイプ材をプレス加工することにより作成するのであって、即ち、パイプ材を特定形状となされたパンチでプレスして凹み部５ａの深さを従来のそれよりも浅く例えば従来のそれの凡そ３／４〜１／２程度（実際上は半分以下程度）に形成すると共に、パイプ材の周壁の厚さは殆ど変化しないように屈曲させる。ここで、凹み部５ａの深さを浅いものとなすときはプレス加工において必ずしもパイプ材の中に芯金を挿入する必要はない。なお、芯金を使用しないときは、凹み部５ａの断面形状は図３に示すように余り角張らないダレるような曲がり面で陥没したものとなって底面部ａに垂直となるような側面ｂ、ｃが形成され難いのであるが、このような凹み部５ａとなっても本発明上は支障がないのであり、またこのような凹み部５ａは強度低下が少ない上に支柱部材５の加工費を大幅に低減させるものである。
その他の部位は従来例に準じたものとなされている。
【００１８】
該第一実施例の使用例及び各部の作用について説明する。
ヘッドレスト１を特定高さに固定させるときは、図１及び図２に示すように、係止部材６の縁部６ａを任意な１つの凹み部５ａに嵌め込んだ状態となすのであり、該状態はスプリング７の弾力で係止側へ押圧されて保持される。
【００１９】
該保持状態では、係止部材６のくさび傾斜面部９が凹み部５ａの底面部ａに圧接し、スプリングの弾力が底面部ａを特定力で第二特定方向ｆ２へ押圧する。これにより、くさび傾斜面部９はくさび作用により前記特定力を倍加した力で底面部ａをこれに直交する方向へ、即ち支柱部材５の中心側へ向けて押圧するのであり、このように押圧された支柱部材５は透孔の周縁部の特定点や支柱部材５の案内手段により支持される。
【００２０】
ここで、くさび傾斜面部９で倍加された力は凹み部５ａの深さ方向へ向かうようになって、係止部材６の縁部が凹み部５ａから抜け出るのを効果的に阻止するのであり、また倍化された力が透孔の周縁部の特定点で支持されるようになり、このことは案内手段の負担する支持力を減少させる上で寄与する。また係止部材６の縁部が凹み部５ａから抜け出るために必要な第二特定方向ｆ２のその移動距離はくさび傾斜面部９の傾斜角度に関連して増大されるのであり、このことも係止部材６の縁部が凹み部５ａから抜け出るのを阻止する上で寄与するのである。
【００２１】
次にヘッドレスト１の高さを変更するときは、一方の手指の操作により、係止部材６をスプリングの弾力に抗して非係止側へ引き移動させてその位置を保持させる。これにより係止部材６のくさび傾斜面部９はこれの嵌り込んでいた凹み部５ａから外方へ離脱した状態となる。該離脱状態を保持したまま、他方の手でヘッドレスト１に第一特定方向ｆ１の操作力を付与するのであり、これにより支柱部材５はヘッドレスト１と同体状に上下変位するものとなる。
【００２２】
ヘッドレスト１を希望する高さ近傍に位置させた後、これまで係止部材６を操作していた手指を離す。このとき係止部材６の内周縁６ａが凹み部５ａと正面で対向した状態でなければ、内周縁６ａは支柱部材５の凹み部５ａ近傍の外周面に衝接した状態となる。該状態の下で、支柱部材５をヘッドレスト１と共に幾分上下何れかへ変位させるのであり、該変位により係止部材６の縁部が凹み部５ａと正面で対向したとき、係止部材６はスプリング７の弾力で係止側へ移動されてその凹み部５ａ内に嵌り込み、先と同様にくさび傾斜面部９がその凹み部５ａの底面部ａに圧接して支柱部材５をその凹み部５ａに対応した特定高さに安定的に保持するものとなる。
【００２３】
一方、係止部材６を操作していた手指を離したときに、係止部材６の内周縁６ａが凹み部５ａと正面で対向しでおれば、係止部材６は直ちにスプリング７の弾力でその凹み部５ａ内に嵌り込み、先と同様に、くさび傾斜面部９がその凹み部５ａの底面部ａに圧接して支柱部材５をその凹み部５ａに対応した特定高さに安定的に保持するものとなる。
【００２４】
なお、ヘッドレスト１の高さを増大させるときは、係止部材６を操作することなく専らヘッドレスト１に上向きの操作を付与するようにしてもよいのであり、この場合は係止部材６の内周縁６ａはスプリング７の弾力で常に支柱部材５の外周面或いは凹み部５ａ内に位置するものとなり、支柱部材５の第一特定方向ｆ１への移動中、内周縁６ａは凹み部５ａの１つと正面で対向する度にその対向した凹み部５ａ内に弾撥的に嵌り込み、このように嵌り込んだ後は傾斜面である側面ｃによりこれに摺接しつつスプリング７の弾力に抗して押し出されるようになり、内周縁６ａが希望するヘッドレスト１の高さに対応した凹み部５ａに到達して嵌り込んだときヘッドレスト１に付与した操作力を解放する。
【００２５】
次に本発明の第二実施例について説明する。図４は該第二実施例に係るヘッドレスト支持装置の要部を示す平面視断面図、図５は図４のｘ２−ｘ２部を示す断面図である。
これらの図に示すように、支柱部材５はこれの直径面を第二特定方向の直径Ｄで二分した各側の外周縁上に凹み部５ａを一つづつ形成されているのである。該支柱部材５の製作に際しては、パイプ材の長手方向の適当距離間隔ごとの周方向上個所で第二特定方向の直径Ｄを通る第一特定方向へ向かう長手方向線を挟む対称位置の２位置をパンチでプレスして一対の凹み部５ａ、５ａを形成し、これら凹み部５ａ、５ａをパイプ材の直径方向の断面視でハ字状となされている。
【００２６】
一方、係止部材６に形成された透孔８の係止側の内周縁にはこれら凹み部５ａのそれぞれに対応した２つのくさび傾斜面部９、９が平面視Ｖ字形に形成されているのであり、この際、各くさび傾斜面部９は先のものに準じた構成となされる。これらのくさび傾斜面部９、９はパイプ材の長手方向の適当距離間隔ごとの周方向上の２つの凹み部５ａ、５ａの底面部ａ，ａに同時に係合して該凹み部５ａ、５ａのそれぞれの底面部ａ、ａを同時に押圧するものとしている。
その他の部位は先の実施例に準じたものとなされている。
【００２７】
該第二実施例の使用例及び各部の作用について説明する。
ヘッドレスト１を特定高さに保持させた状態の下で、係止部材６の２つのくさび傾斜面部９、９はスプリング７の弾力で八字状配置の２つの凹み部５ａ、５ａの底面部ａ、ａを同時に押圧する。この際、スプリング７の弾力は底面部ａ、ａを特定力で第二特定方向ｆ２へ押圧する。これにより、２つのくさび傾斜面部９、９は前記特定力がくさび作用により倍加された力で八字状配置された底面部ａ、ａのそれぞれを、該底面部ａに摩擦力が殆ど作用しないと仮定したとき該底面部ａ、ａのそれぞれに直交する方向ｆ３、ｆ４へ、即ち支柱部材５の中心へ向けて押圧するのであり、このように押圧された支柱部材５は透孔８の２つのくさび傾斜面部９、９や、支柱部材５の案内手段４に支持される。
【００２８】
ここで、各くさび傾斜面部９、９により倍加された力は先の実施例におけると同様にその対応する凹み部５ａ、５ａの深さ方向、即ち底面部に直交する方向ｆ３、ｆ４へ向かうようになって、係止部材６の縁部６ａ、６ａが凹み部５ａ、５ａから抜け出るのを効果的に阻止するのであり、また前記倍加された力を受ける支柱部材５が透孔８の２つのくさび傾斜面部９、９で支持されることは２つのくさび傾斜面部９、９に作用するものでくさび作用により倍加された力を相殺させて案内手段４の負担する支持力を減少させる上で寄与する。また係止部材６の縁部６ａ、６ａが凹み部５ａ、５ａから抜け出るのに必要な第二特定方向ｆ２のその移動距離は先の実施例と同様にくさび傾斜面部９、９の傾斜角度θに関連して増大されるのであり、このことも係止部材６のくさび傾斜面部９、９が凹み部５ａ、５ａから抜け出るのを阻止する上で寄与するものである。
【００２９】
【発明の効果】
以上に説明した本発明によれば、次のような効果が得られる。
即ち、請求項１記載のものによれば、くさび傾斜面部９が凹み部５ａの底面部ａをこれに直交した方向（凹み部５ａの深さ方向）へくさび作用による比較的大きな力で押圧するようになり、また係止部材６の縁６ａが凹み部５ａから抜け出るために必要となる係止部材６の第二特定方向ｆ２の移動距離も比較的大きくなるのであり、したがって係止部材６は支柱部材５を第二特定方向ｆ２の力の倍加されたものである比較的大きな力で凹み部５ａの底面部ａを押圧することにより確実に係止してヘッドレスト１を安定的に支持し、また係止部材６が振動などで第二特定方向ｆ２へ遊動して凹み部５ａから抜け出るような事態が効果的に阻止されるのであり、また凹み部５ａの底面部ａを押圧する力が比較的大きいものとなるためスプリング７の弾力はその分減少させることができて係止部材６の第二特定方向ｆ２への操作を容易に行うことができるものとなり、また凹み部５ａの底面部ａが比較的大きな力で押圧されるようになるため、凹み部５ａはその深さを減少させても差し支えないものとなるのであり、このことは支柱部材５が比較的薄肉のパイプ材をプレス加工で成形されたものであっても差し支えないものとなして支柱部材５の重量を軽量化させるのであり、さらには支柱部材５がパイプ材をほとんど肉厚変化が生じない程度にプレスすることにより作成されるものとなって支柱部材５の製作の容易化が図られるのである。
【００３０】
請求項２記載のものによれば、くさび傾斜面部９が凹み部５ａに深く嵌まり込んで比較的長い距離に亘って凹み部５ａに係合するものとなり、ヘッドレスト１を一層安定的に支持させることができる。
【００３１】
請求項３記載のものによれば、第二特定方向ｆ２の特定力をくさび傾斜面部９のくさび作用により倍加されたものである比較的大きな力が係止部材６や支柱部材５以外のものに及ぶのを抑制することができると共に簡易軽量な構造によりヘッドレスト１を安定的に支持させることができる。
【００３２】
請求項４記載のものによれば、請求項１記載の発明と同様の効果が得られる上に次のような効果が得られるのであって、即ち、係止部材６の縁部６ａ、６ａと凹み部５ａ、５ａとでこれらの係合長さを大きくなすことができて、これら係止部材６と凹み部５ａ、５ａとの係止作用をさらに増大させることができる。また２つの凹み部５ａ、５ａから係止部材６に付与される押圧力を相殺させることにより、各凹み部５ａ、５ａに対応する各くさび傾斜面部９、９のくさび作用により倍加された比較的大きな押圧力が支柱部材５や係止部材６以外のものに作用するのを効果的に抑制することができる。
【００３３】
請求項５記載のものによれば、係止部材６が支柱部材５に対し透孔８を介して的確に案内されるため安定的な作動が得られるのであり、また２つのくさび傾斜面部９、９が透孔８の内周縁部に形成されているため、第二特定方向ｆ２の特定力がくさび傾斜面部９、９のくさび作用により倍加されたものである比較的大きな力により係止部材６のくさび傾斜面部９、９間個所が変形される現象を効果的に阻止することができる。
さらに請求項６記載のものは請求項４又は５記載の発明を実現する上で寄与するものである。
【図面の簡単な説明】
【図１】本発明の第一実施例に係るヘッドレスト支持装置の要部を示す平面視断面図である。
【図２】図１のｘ１−ｘ１部を示す断面図である。
【図３】薄肉のパイプ材を芯金を使用することなくプレス加工して形成された前記ヘッドレスト支持装置の凹み部を示す断面図である。
【図４】本発明の第二実施例に係るヘッドレスト支持装置の要部を示す平面視断面図である。
【図５】図４のｘ２−ｘ２部を示す断面図である。
【図６】従来例の自動車の座席の後部を示す図である。
【図７】従来例の自動車の座席のヘッドレストを引き上げた状態を示す図である。
【図８】従来例の支柱部材５及び係止部材６を示す平面視断面図である。
【図９】図８のｘ３−ｘ３部を示す断面図である。
【符号の説明】
３  ヘッドレスト支持装置
４  案内手段
５  支柱部材
５ａ  凹み部
６  係止部材
８  透孔
９  くさび傾斜面部
Ｄ  特定直径
ａ  底面部
ｆ１  第一特定方向
ｆ２  第二特定方向
【図１】
2005021532.tif 000003
【図２】
2005021532.tif 000004
【図３】
2005021532.tif 000005
【図４】
2005021532.tif 000006
【図５】
2005021532.tif 000007
【図６】
2005021532.tif 000008
【図７】
2005021532.tif 000009
【図８】
2005021532.tif 000010
【図９】
2005021532.tif 000011